(57)【特許請求の範囲】
【請求項１】
容器本体１の口頸部２に、液体を噴出させる押下げノズルヘッド３を備えたポンプ４を着脱自在に装着し、該ポンプの下端から吸上げパイプ５を嵌合垂設した液体噴出容器において、上記押下げノズルヘッド３に回動阻止手段６を講じ、また、上記吸上げパイプ５を前方へ屈曲させてその下端を前記容器本体１の内底前隅部７に位置させるとともに、嵌合するポンプ４の下端と吸上げパイプ５の上端との間に廻り止め手段８を講じたことを特徴とする液体噴出容器。
【請求項２】
容器本体１の口頸部２に、液体を噴出させる押下げノズルヘッド３を備えたポンプ４を取付け基部９にて着脱自在に装着し、該ポンプの下端から吸上げパイプ５を嵌合垂設した液体噴出容器において、上記ポンプ４の取付け基部９から案内筒10を起立させて上記押下げノズルヘッド３の周壁11を摺動自在に嵌合させるとともに、その案内筒10と周壁11との摺動面相互に筒方向の案内溝12と突条13との摺動自在な嵌合から成る回動阻止手段６を講じ、また、上記吸上げパイプ５を前方へ屈曲させてその下端を前記容器本体１の内底前隅部７に位置させるとともに、嵌合するポンプ４の下端と吸上げパイプ５の上端との間に食い込み突条14による廻り止め手段８を講じたことを特徴とする液体噴出容器。
【請求項３】
押下げノズルヘッド３を噴霧ヘッド15として成る請求項１又は請求項２に記載の液体噴出容器。
【発明の詳細な説明】
【０００１】
【産業上の利用分野】
本発明は、噴霧手段等を備えた液体噴出容器に関するものである。
【０００２】
【従来の技術】
容器本体の口頸部に押下げノズルヘッド付きポンプを着脱自在に装着し、該ポンプの下端から吸上げパイプを嵌合垂設した液体噴出容器は既に周知である。
ところで、かかる液体噴出容器において、押下げノズルヘッドに、押し下げのストロークや液体の噴霧、直の切換え等のために回動規制（方向規制）手段を講じたものがあり（実開昭６２‐９０７６６号公報、実開昭６２‐１３６２５５  号公報、実開昭６２‐１３６２５８  号公報等）、また、内底上のわずかな液体をも十分に吸い上げるために吸上げパイプを屈曲させてその下端を容器本体の内底隅部に位置させたものがある（実開平５‐７６５０号公報等）。
【０００３】
【発明が解決しようとする課題】
しかし、ものにより或いは使用上の必要から前傾状態で使用せざるを得ない場合があり、この際、上記吸上げパイプが後方へ屈曲した状態にあると、図５に示すように、収容液の残量が少なくなったときにその吸上げパイプの下端が液面上に露出して、十分に吸い上げることができなくなる憾みがある。
一方、押下げノズルヘッドの方向を前方のみに規制し、かつ、吸上げパイプを前方へ屈曲させれば、そのような不都合を無くすることができるものと考えられるが、容器本体口頸部へのポンプの着脱に際し、吸上げパイプが嵌合部で不用意に回動して向きが変わってしまう虞れがあり、殊に胴部が楕円形や角形等の横断面形状の容器本体であって、ポンプを螺動又は回動で着脱させるものでは、容器本体の取付け中心から内壁面までの距離が異なることにより、その螺動又は回動中に吸上げパイプの下端が内壁面に突き当たって嵌合部が廻ってしまうことがある。
本発明は、これらのことを考慮し、前傾状態で使用する場合にも、収容液を最後まで十分に吸い上げることができるようにしようとするものであり、かつ、簡単な構成で吸上げパイプの屈曲の向きを常に適正に維持できるようにしようとするものである。
【０００５】
【課題を解決するための手段】
上記目的達成のため、請求項１の発明は、容器本体１の口頸部２に、液体を噴出させる押下げノズルヘッド３を備えたポンプ４を着脱自在に装着し、該ポンプの下端から吸上げパイプ５を嵌合垂設した液体噴出容器において、上記押下げノズルヘッド３に回動阻止手段６を講じ、また、上記吸上げパイプ５を前方へ屈曲させてその下端を前記容器本体１の内底前隅部７に位置させるとともに、嵌合するポンプ４の下端と吸上げパイプ５の上端との間に廻り止め手段８を講じたことを特徴とする。
【０００６】
請求項２の発明は、容器本体１の口頸部２に、液体を噴出させる押下げノズルヘッド３を備えたポンプ４を取付け基部９にて着脱自在に装着し、該ポンプの下端から吸上げパイプ５を嵌合垂設した液体噴出容器において、上記ポンプ４の取付け基部９から案内筒10を起立させて上記押下げノズルヘッド３の周壁11を摺動自在に嵌合させるとともに、その案内筒10と周壁11との摺動面相互に筒方向の案内溝12と突条13との摺動自在な嵌合から成る回動阻止手段６を講じ、また、上記吸上げパイプ５を前方へ屈曲させてその下端を前記容器本体１の内底前隅部７に位置させるとともに、嵌合するポンプ４の下端と吸上げパイプ５の上端との間に食い込み突条14による廻り止め手段８を講じたことを特徴とする。
【０００７】
また、請求項３の発明は、上記請求項１又は請求項２に記載した発明にあって、押下げノズルヘッド３を噴霧ヘッド15として成る。
【０００８】
【作用】
如上の構成であるから、請求項１乃至請求項３のいずれの場合にあっても、押下げノズルヘッド３は回動阻止手段６により常に一定の前方方向を維持し、これに対応して、吸上げパイプ５はその下端が常に容器本体１の内底前隅部７の位置を維持する。したがって、前傾状態での使用で収容液の残量が少なくなっても、最後まで吸上げパイプ５の下端が液面上に露出することはない。
【０００９】
更に、請求項１乃至請求項３の発明にあっては、ポンプ４を着脱するに当たっても、該ポンプの下端と吸上げパイプ５の上端との嵌合に廻り止め手段８が働き、吸上げパイプ５は所定の方向を維持し、したがって、その下端も所定の位置を維持する。
【００１０】
そして、請求項２乃至請求項３の発明にあっては、ポンプ４の取付け基部９から起立した案内筒10と押下げノズルヘッド３の周壁11との摺動面相互に設けた案内溝12と突条13との摺動自在な嵌合から成る回動阻止手段６は、押下げノズルヘッド３の的確な一定方向の維持を可能にし、また、ポンプ４の下端と吸上げパイプ５の上端との間の食い込み突条14による廻り止め手段８は、吸上げパイプ５の嵌合部の回動を不能にして、該吸上げパイプ５の的確な一定方向の維持を可能にする。
【００１１】
加えて、請求項３の発明にあっては、押下げノズルヘッド３たる噴霧ヘッド15は、収容液の噴霧を可能にする。
【００１２】
【実施例】
図面は、上記請求項１乃至請求項３の実施例を示している。図において、１は、容器本体、３は、押下げノズルヘッド、４は、その容器本体の口頸部２に着脱自在に装着した押下げノズルヘッド付きポンプ、５は、該ポンプの下端から嵌合垂下させた吸上げパイプであり、いずれも適宜合成樹脂から成るものである。
【００１３】
容器本体１は、液体容器であり、上端に口頸部２を有し、該口頸部の外周に螺条１６を備えている。
押下げノズルヘッド３は、噴霧ヘッド１５であり、ポンプ４から供給される加圧液体をその圧力に基づき高速回転（スピン）させつつ小孔から噴出させる噴霧ノズル１７を備えている。
ポンプ４は、上端から内蔵スプリングに抗して押し下げ得るステム１８を突出した竪型往復ポンプであり、内周に螺条１９を備えたキャップ状の取付け基部９を有して、該取付け基部９にて上記容器本体１の口頸部２に着脱自在に螺着し、上記ステム１８に上記噴霧ヘッド１５を嵌着させている。また、取付け基部９から案内筒１０を起立し、該案内筒の外周に上記噴霧ヘッド１５の周壁１１を摺動自在に嵌合させている。そして、下端から嵌合小筒２０を垂設し、該嵌合小筒内に吸上げパイプ５を上端にて嵌合させて垂下させており、該吸上げパイプ５は、前方へ屈曲させてその下端を容器本体１の内底前隅部７に位置させいる。なお、吸上げパイプ５は、弾性変形可能なものとするとよい。
【００１４】
上記取付け基部９の案内筒１０と噴霧ヘッド１５の周壁１１との摺動面相互には、筒方向の案内溝１２と突条１３との摺動自在な嵌合から成る回動阻止手段６を講じ、また、上記嵌合小筒２０内に、嵌合した吸上げパイプ５の上端へ食い込ませる３条の食い込み突条１４による廻り止め手段８を講じている。
【００１５】
【発明の効果】
請求項１乃至請求項３の発明によれば、押下げノズルヘッド３に回動阻止手段６を設けているので、押下げノズルヘッド３には常に一定の前方方向を維持させることができるとともに、これに対応させて吸上げパイプ５の下端を容器本体１の内底前隅部７の位置させているから、前傾状態での使用で収容液の残量が少なくなっても、最後まで吸上げパイプ５の下端が液面上に露出せず、収容液は最後まで的確に吸い上げることができ、押下げノズルヘッド３から噴出させることができ、無駄を省くことができる。また、簡単な構成にすることができ、安価に提供することができる。
【００１６】
更に、請求項１乃至請求項３の発明によれば、ポンプ４の下端と吸上げパイプ５の上端との嵌合に廻り止め手段８を講じているので、ポンプ４を着脱するさいにも吸上げパイプ５には前方方向を的確に維持させることができて、その下端にも内底前隅部７の位置を的確に維持させることができる。
【００１７】
そして、請求項２乃至請求項３の発明によれば、ポンプ４の取付け基部９から起立した案内筒10と押下げノズルヘッド３の周壁11との摺動面相互に案内溝12と突条13との摺動自在な嵌合から成る回動阻止手段６を講じているので、押下げノズルヘッド３には前方方向を的確に維持させることができ、また、ポンプ４の下端と吸上げパイプ５の上端との間の食い込み突条14による廻り止め手段８を講じているので、吸上げパイプ５の嵌合部を簡単にかつ確実に回動不能にでき、該吸上げパイプ５を前方方向に的確に維持させることができる。
【００１８】
加えて、請求項３の発明にあっては、押下げノズルヘッド３を噴霧ヘッド15としているので、該押下げノズルヘッド３を押下げ操作することにより、収容液を噴霧させることができる。
【図面の簡単な説明】
【図１】本発明の液体噴出容器に係る実施例を示す一部截断側面図である。
【図２】図１のＡ−Ａ線要部断面図である。
【図３】図１の要部拡大断面図である。
【図４】図３のＢ−Ｂ線断面図である。
【図５】従来例を示す要部の断面図である。
【符号の説明】
１…容器本体                    ２…口頸部
３…押下げノズルヘッド          ４…ポンプ
５…吸上げパイプ                ６…回動阻止手段
７…内底前隅部                  ８…廻り止め手段
９…取付け基部                  １０…案内筒
１１…周壁                        １２…案内溝
１３…突条                        １４…食い込み突条
１５…噴霧ヘッド                  １６…螺条
１７…噴霧ノズル                  １８…ステム
１９…螺条                        ２０…嵌合小筒
【図１】
0003614466.tif 000002
【図２】
0003614466.tif 000003
【図３】
0003614466.tif 000004
【図４】
0003614466.tif 000005
【図５】
0003614466.tif 000006